(57)【要約】【課題】加工性に優れ、安価、かつ強力な磁界が得られて位置確認の容易な標示器を提供する。【解決手段】地盤Ｇに一部もしくは全部が埋入されて、地理的情報を表示する標示器１０であって、磁性体からなる棒材１１の両端に磁石体１２，１２を接触させてなる磁界発生ユニット１０を備えた標示器Ａ，Ｂ。【選択図】　　　図２
2004108780.tif 000002
【特許請求の範囲】
【請求項１】
地盤に一部もしくは全部が埋入されて、地理的情報を表示する標示器であって、
磁性体からなる棒材の両端に磁石体を接触させてなる磁界発生ユニットを備えた標示器。
【請求項２】
請求項１において、前記棒材は鉛直方向に長手方向を持つ細長い形状である標示器。
【請求項３】
請求項１または２において、鉛直方向に長手方向を持つ細長い杭の頭部に前記磁界発生ユニットが内蔵されている標示器。
【請求項４】
請求項１または２において、前記磁界発生ユニットが非磁性体の容器内に収納されている標示器。
【発明の詳細な説明】
【０００１】
【発明の属する技術分野】
本発明は、地籍調査を行うような場合に使用される土地や道路の位置に関する情報、または、ケーブル、水道管、ガス管などの地下埋設物の位置情報のような、地理的情報を表示するための標示器に関するものである。
【０００２】
【従来の技術】
地籍調査などを行うために、位置の標示器として、例えば、細長い棒状とされた測量杭が地盤に埋設されて、その頭部が地表に露出している。この測量杭の頂面には、その土地の区画番号が付された表示プレートが釘で打ちつけられる場合もある（例えば、実用新案文献１）。
【０００３】
【実用新案文献１】
実開平２−１１８８１５号公報（第３頁第１７行目ないし第４頁第５行目、第１図）
【０００４】
この測量杭は、その頭部が落ち葉や雪などで埋まってしまうと、位置確認が困難になる。これに対し、測量杭と一緒に磁石体を埋設して、磁石体の磁界を磁気検知器であるロケーターで検知することにより位置確認を行うことが考えられる。図７に示すように、磁石体１２は、Ｎ極からＳ極へ向かう磁束７０を発生するので、これを、上方から図示しないロケーターで検知する。このような方法は、水道管やガス管などの地下埋設物の位置を示す標示器の確認に、既に利用されている。
【０００５】
ところで、磁石体１２の形状が細長い程、軸方向外方により強力な磁束が得られる。そのため、図７のような細長い形状とするのが好ましいが、このような磁石体１２を得るためには他の金属に比べて高価な磁石体１２の大きな塊が必要である。また、磁石体１２は、他の金属と比べて加工性に劣る。
【０００６】
そこで、本発明の目的は、加工性に優れ、安価、かつ強力な磁界が得られて位置確認の容易な標示器を提供することにある。
【０００７】
【課題を解決するための手段】
上記目的を達成するために、本発明に係る標示器は、地盤に一部もしくは全部が埋入されて、地理的情報を表示する標示器であって、磁性体からなる棒材の両端に磁石体を接触させてなる磁界発生ユニットを備えている。
【０００８】
前記構成によれば、磁石体は短いもので済むので、加工性に優れ、安価である。棒材は、例えば鉄で形成できるので、長くても加工性は優れている。また、中間部分の棒材により、軸方向外方の磁束密度が向上するため、磁界の検知範囲も大きくなり、標示器の位置確認が容易になる。
【０００９】
本発明の好ましい実施形態では、前記棒材は鉛直方向に長手方向を持つ細長い形状である。この構成によれば、磁性体からなる棒材は、細長い形状である程、軸方向外方の磁束、つまり上方の地表に達する磁束が強くなることから、位置確認が容易になる。
【００１０】
また、本発明の好ましい実施形態では、鉛直方向に長手方向を持つ細長い杭の頭部に前記磁界発生ユニットが内蔵されている。この構成によれば、杭の頭部が落ち葉や雪などで埋まっても、磁気検知器であるロケーターにより容易に位置確認をすることができる。
【００１１】
さらに、本発明の好ましい実施形態では、前記磁界発生ユニットが非磁性体の容器内に収納されている。この構成によれば、磁界発生ユニットを水道管やガス管などの地下埋設物に直接取り付けなくても、一緒に埋設することにより、ロケーターで容易に位置確認をすることができる。また、非磁性体の容器に地下埋設物に関する情報を付しておけば、工事により実際に掘り起こした場合、埋設物の外観からは得られない情報についても知ることができる。
【００１２】
【発明の実施の形態】
以下、本発明の一実施形態を図面に基づいて説明する。図１に示す磁界発生ユニット１０は、磁性体からなる棒材１１の両端に磁石体１２，１２を接触させてなるものである。磁性体からなる棒材１１には、例えば、鉄、けい素鋼、電磁鋼などが好ましく用いられる。前記棒材１１は細長い形状である程、磁束が強力であるが、実験により、棒材の直径に対する長さの割合は、１：４以上が好ましいことがわかった。例えば、棒材１１の直径を１０ｍｍ、長さを５０ｍｍ、磁石体１２，１２の直径を９ｍｍ、厚み（長さ）を３ｍｍとし、磁石体の上面をＮ極とした場合のロケーターによる検知距離は、平均約８０ｃｍであった。これに対し、磁性体１１を使用しない場合、同じロケーターによる検知距離８０ｃｍを得るのに、直径９ｍｍ、長さ３０ｍｍの長い磁石体１２が必要であった。
【００１３】
次に、前記磁界発生ユニット１０を標示器の一種である測量杭に内蔵した場合について説明する。
図２に示す測量杭Ａは細長い、例えば断面十字形とされた杭本体２１の先端側に先鋭部２２を、他方側に四角柱形状とされた頭部２３をそれぞれ形成して、杭Ａの中心部に磁界発生ユニット１０を、長手方向を鉛直方向として内蔵している。杭Ａを構成する杭本体２１の横断面形状は、三角形、四角形以上の多角形、円形等、種々の形状とすることができる。
【００１４】
杭本体２１は、樹脂製、木製、またはコンクリート製などの非磁性体であり、通常、樹脂製のものが好ましく用いられる。この樹脂製の杭本体２１に使用される材料としては、例えば、ポリエチレン、ポリプロピレン、ポリエステル、スチロール、ポリアミド、ポリスルホン等の熱可塑性プラスチックで形成された樹脂製品の廃物である、リサイクル樹脂が用いられる。
【００１５】
前記磁界発生ユニット１０は、杭Ａにインサート成形により取り付けられる。杭Ａの中心軸線上に配置することで、杭Ａの強度が低下しない。
【００１６】
磁界発生ユニット１０を内蔵した杭Ａは、図３に示すように地盤Ｇに、長手方向を鉛直方向とし、頭部２３の一部を露出して埋設される。頭部２３には、区画番号を示す表示プレートが付される場合もある。これにより、磁界発生ユニット１０も長手方向を鉛直方向として埋設される。磁界発生ユニット１０の磁界をロケーターにより検知することで、杭Ａの位置確認を容易に行うことができる。
【００１７】
また、図４のように、杭Ａが頭部２３にキャップ２４を有する場合は、磁界発生ユニット１０をキャップ２４に設けた保持孔３０に嵌合して保持させておき、この状態でキャップ２４を杭Ａ成形用の型に嵌め込んでリサイクル樹脂を注入することにより、磁界発生ユニット１０を内蔵した杭Ａを成形することができる。前記キャップ１２には、非磁性体であるポリエチレン、ポリプロピレン、フッ素、ポリカーボネート、ポリスルホン、ポリエステル等の熱可塑性樹脂や、フェノール、ポリイミド等の熱硬化性樹脂が用いられる。
【００１８】
図５に示す標示器Ｂは、磁界発生ユニット１０が非磁性体の容器５０内に収納されている。
前記標示器Ｂは、図６のように、地下埋設物である、例えば水道管６０と一緒に地盤Ｇに埋設される。溝６２を掘って水道管６０を埋めるときには、複数回に分けて土を入れるので、そのときに、例えば６０の上方に標示器Ｂを埋入する。標示器Ｂは、長手方向を鉛直方向として埋設されており、磁界発生ユニット１０から発生する磁界は、上方からロケーター６１で検知される。この構成によれば、標示器Ｂを水道管６０に直接取り付けなくても一緒に埋設することにより、ロケーター６１で容易に位置確認をすることができる。また、非磁性体の容器５０に、例えば、水道管のような管の種類や配管先などの地下埋設物に関する情報を付しておけば、工事により実際に掘り起こした場合、埋設物の外観からは得られない情報についても知ることができる。
【００１９】
また、磁界発生ユニット１０の外部の磁界はＮ極から発生してＳ極へと向かうので、発生元であるＮ極を上面とする方が、Ｓ極を上面とする場合に比べて、地表に達する磁束が強くなるために、ロケーターによる検出が容易になる。さらに、磁石体１２は磁性体１１の一端だけに取り付けてもよい。その場合、磁性体１１をより長くするのが好ましい。
【００２０】
【発明の効果】
以上のように、本発明に係る標示器によれば、磁石体は短いもので済むので、加工性に優れ、安価である。棒材は、例えば鉄で形成できるので、長くても加工性は優れている。また、中間部分の棒材により、軸方向外方の磁束密度が向上するため、磁界の検知範囲も大きくなり、標示器の位置確認が容易になる。
【図面の簡単な説明】
【図１】本発明に係る磁界発生ユニットの一例を示す斜視図である。
【図２】同磁界発生ユニットを内蔵した測量杭の一例を示す斜視図である。
【図３】図３の測量杭を地盤に埋設した場合の要部の断面図である。
【図４】同測量杭がキャップを有する場合の要部の断面図である。
【図５】本発明に係る磁界発生ユニットが非磁性体の容器内に収納された状態を示す斜視図である。
【図６】図５の非磁性体の容器内に収納された磁界発生ユニットを水道管と一緒に地盤に埋設した場合の断面図である。
【図７】従来の標示器を示す斜視図である。
【符号の説明】
Ａ，Ｂ…標示器、１１…磁性体からなる棒材、１２…磁石体、１０…磁界発生ユニット、Ｇ…地盤。
【図１】
2004108780.tif 000003
【図２】
2004108780.tif 000004
【図３】
2004108780.tif 000005
【図４】
2004108780.tif 000006
【図５】
2004108780.tif 000007
【図６】
2004108780.tif 000008
【図７】
2004108780.tif 000009
【手続補正書】
【提出日】平成14年9月17日(2002.9.17)
【手続補正１】
【補正対象書類名】図面
【補正対象項目名】全図
【補正方法】変更
【補正の内容】
【図１】
2004108780.tif 000010
【図２】
2004108780.tif 000011
【図３】
2004108780.tif 000012
【図４】
2004108780.tif 000013
【図５】
2004108780.tif 000014
【図６】
2004108780.tif 000015
【図７】
2004108780.tif 000016